(57)【要約】  本発明は、モバイルデバイス時間の表示方法及び装置であって、前記方法は、スクリーンをオフにした状態で、デバイス時間を表示するための予め設定された操作が検出されたか否かを決定するステップと、デバイス時間を表示するための予め設定された操作が検出されたと決定された場合、タッチチップを介して前記タッチチップにより算出して得られたデバイス時間を表示駆動チップに送信するステップであって、アプリケーションプロセッサがオフにされる時に前記タッチチップが標準時間を取得すると共に内部クロックに基づいて算出してデバイス時間を取得するステップと、前記表示駆動チップによりスクリーンを点灯して前記デバイス時間をスクリーンに表示するステップと、を含む。本発明の実施形態は、ユーザが時間を閲覧する場合にアプリケーションプロセッサをウェイクアップする必要がなく、アプリケーションプロセッサをウェイクアップすることにより時間を算出する消費電力を抑止することができるため、時間を閲覧するデバイス消費電力を大幅に低下させ、デバイス使用可能時間を延長することができる。  【選択図】  図１
2019511018.tif 000002
【特許請求の範囲】
【請求項１】
モバイルデバイス時間の表示方法であって、
スクリーンをオフにした状態で、デバイス時間を表示するための予め設定された操作が検出されたか否かを決定するステップと、
デバイス時間を表示するための予め設定された操作が検出されたと決定された場合、タッチチップを介して前記タッチチップにより算出して得られたデバイス時間を表示駆動チップに送信するステップであって、アプリケーションプロセッサがオフにされる時に前記タッチチップが標準時間を取得すると共に内部クロックに基づいて算出してデバイス時間を取得するステップと、
前記表示駆動チップによりスクリーンを点灯して前記デバイス時間をスクリーンに表示するステップと、
を含む、
ことを特徴とするモバイルデバイス時間の表示方法。
【請求項２】
アプリケーションプロセッサがオフにされる時に前記タッチチップが標準時間を取得するステップは、
スクリーンがオフにされていると決定された場合、アプリケーションプロセッサをオフにし、且つアプリケーションプロセッサがオフにされる時に対応する標準時間を前記タッチチップに同期させるステップと
を含む、
ことを特徴とする請求項１に記載のモバイルデバイス時間の表示方法。
【請求項３】
スクリーンを点灯した状態で、アプリケーションプロセッサを起動するための予め設定された操作が検出された場合、タッチチップがデバイス時間を表示駆動チップに送信することを停止し、アプリケーションプロセッサを起動して且つ前記アプリケーションプロセッサにより算出して得られた標準時間を表示駆動チップに送信するステップと、
前記表示駆動チップにより前記標準時間をスクリーンに表示するステップと、
を更に含む、
ことを特徴とする請求項１に記載のモバイルデバイス時間の表示方法。
【請求項４】
前記表示駆動チップによりスクリーンを点灯して前記デバイス時間をスクリーンに表示するステップは、
前記表示駆動チップによりタッチパネルのデータ線と制御線とを駆動し、スクリーンを点灯し、且つ前記デバイス時間をスクリーンに表示するステップ、
を含む、
ことを特徴とする請求項１に記載のモバイルデバイス時間の表示方法。
【請求項５】
前記表示駆動チップによりスクリーンを点灯して前記デバイス時間をスクリーンに表示するステップは、
現在の環境輝度に基づいて、予め設定された輝度閾値を決定するステップと、
前記表示駆動チップにより前記予め設定された輝度閾値でスクリーンを点灯し、且つ前記デバイス時間をスクリーンに表示するステップと、
を含む、
ことを特徴とする請求項１に記載のモバイルデバイス時間の表示方法。
【請求項６】
デバイス時間を表示するための予め設定された操作が検出されたか否かを決定するステップは、
スクリーンをオフにした状態で、スクリーンをダブルタップするタップ操作が検出された場合、デバイス時間を表示するための予め設定された操作が検出されたと決定するステップ、又は、
電源ボタンが押下されたと検出された場合、デバイス時間を表示するための予め設定された操作が検出されたと決定するステップ、
を含む、
ことを特徴とする請求項１に記載のモバイルデバイス時間の表示方法。
【請求項７】
モバイルデバイス時間の表示装置であって、
スクリーンをオフにした状態で、デバイス時間を表示するための予め設定された操作が検出されたか否かを決定するように構成される検出モジュールと、
前記検出モジュールによりデバイス時間を表示するための予め設定された操作が検出されたと決定された場合、タッチチップを介して前記タッチチップにより算出して得られたデバイス時間を表示駆動チップに送信する時間送信モジュールであって、アプリケーションプロセッサがオフにされる時に前記タッチチップが標準時間を取得すると共に内部クロックに基づいて算出してデバイス時間を取得するように構成される時間送信モジュールと、
前記表示駆動チップによりスクリーンを点灯して前記時間送信モジュールにより送信された前記デバイス時間をスクリーンに表示するように構成される第１表示モジュールと、
を含む、
ことを特徴とするモバイルデバイス時間の表示装置。
【請求項８】
スクリーンがオフにされていると決定された場合、アプリケーションプロセッサをオフにし、且つアプリケーションプロセッサがオフにされた時に対応する標準時間を前記タッチチップに同期させるように構成される時間同期モジュールを更に含む、
ことを特徴とする請求項７に記載のモバイルデバイス時間の表示装置。
【請求項９】
スクリーンを点灯した状態で、アプリケーションプロセッサを起動するための予め設定された操作が検出された場合、タッチチップがデバイス時間を表示駆動チップに送信することを停止し、アプリケーションプロセッサを起動して且つ前記アプリケーションプロセッサにより算出して得られた標準時間を表示駆動チップに送信するように構成される起動モジュールと、
前記表示駆動チップにより前記起動モジュールにより決定された前記標準時間をスクリーンに表示するように構成される第２表示モジュールと、
を更に含む、
ことを特徴とする請求項７に記載のモバイルデバイス時間の表示装置。
【請求項１０】
前記第１表示モジュールは、
前記表示駆動チップによりタッチパネルのデータ線と制御線とを駆動し、スクリーンを点灯し、且つ前記デバイス時間をスクリーンに表示するように構成される表示サブモジュールを含む、
ことを特徴とする請求項７に記載のモバイルデバイス時間の表示装置。
【請求項１１】
前記第１表示モジュールは、
現在の環境輝度に基づいて、予め設定された輝度閾値を決定するように構成される輝度決定サブモジュールと、
前記表示駆動チップにより前記予め設定された輝度閾値でスクリーンを点灯し、且つ前記デバイス時間をスクリーンに表示するように構成される点灯サブモジュールと、
を含む、
ことを特徴とする請求項７に記載のモバイルデバイス時間の表示装置。
【請求項１２】
前記検出モジュールは、
スクリーンをオフにした状態で、スクリーンをダブルタップするタップ操作が検出された場合、デバイス時間を表示するための予め設定された操作が検出されたと決定するように構成される第１決定サブモジュール、又は
電源ボタンが押下されたことが検出された場合、デバイス時間を表示するための予め設定された操作が検出されたと決定するように構成される第２決定サブモジュール、
を含む、
ことを特徴とする請求項７に記載のモバイルデバイス時間の表示装置。
【請求項１３】
モバイルデバイス時間の表示装置であって、
プロセッサと、
プロセッサにより実行可能な命令を記憶するためのメモリとを含み、
プロセッサは、
スクリーンをオフにした状態で、デバイス時間を表示するための予め設定された操作が検出されたか否かを決定し、
デバイス時間を表示するための予め設定された操作が検出されたと決定された場合、タッチチップを介して前記タッチチップにより算出して得られたデバイス時間を表示駆動チップに送信し、アプリケーションプロセッサがオフにされる時に前記タッチチップが標準時間を取得すると共に内部クロックに基づいて算出してデバイス時間を取得し、
前記表示駆動チップによりスクリーンを点灯して前記デバイス時間をスクリーンに表示するように構成される、
ことを特徴とするモバイルデバイス時間の表示装置。
【発明の詳細な説明】
【技術分野】
【０００１】
本発明は、電気技術分野に関し、特にモバイルデバイス時間の表示方法及び装置に関する。
【背景技術】
【０００２】
モバイルデバイスが広く利用されるにつれ、ユーザはモバイルデバイスにより時間を確認することにますます依存するようになってきているが、スクリーンを頻繁に点灯して時間を見ることの消費電力は非常に高く、モバイルデバイスの使用可能時間を大幅に縮める。関連技術において、モバイルデバイスにスクリーン常時オン（Ａｌｗａｙｓ−Ｏｎ）機能を加えることにより、ユーザがスクリーンを点灯することなく、長時間に時間を表示する課題が実現できる。しかしながら、Ａｌｗａｙｓ−Ｏｎ機能を利用するには、依然として所定時間ごとに、例えば１分ごとにアプリケーションプロセッサ（ＡｐｐｌｉｃａｔｉｏｎＰｒｏｃｅｓｓｏｒ、ＡＰと略称する）をウェイクアップしてデバイス時間を算出する必要があるが、アプリケーションプロセッサをウェイクアップすることにより、デバイス時間を算出することの消費電力も比較的高くなり、モバイルデバイスのバッテリーの減りも早くなり、モバイルデバイスの使用可能時間を大幅に縮める。
【発明の概要】
【発明が解決しようとする課題】
【０００３】
関連技術の課題を解決するために、本発明の実施例は、モバイルデバイスの使用可能時間を延長するための、モバイルデバイス時間の表示方法及び装置を提供する。
【課題を解決するための手段】
【０００４】
本発明の実施例の第１側面によれば、モバイルデバイス時間の表示方法を提供し、当該方法は、
スクリーンをオフにした状態で、デバイス時間を表示するための予め設定された操作が検出されたか否かを決定するステップと、
デバイス時間を表示するための予め設定された操作が検出されたと決定された場合、タッチチップを介して前記タッチチップにより算出して得られたデバイス時間を表示駆動チップに送信するステップであって、アプリケーションプロセッサがオフにされる時に前記タッチチップが標準時間を取得すると共に内部クロックに基づいて算出してデバイス時間を取得するステップと、
前記表示駆動チップによりスクリーンを点灯して前記デバイス時間をスクリーンに表示するステップと、
を含む。
【０００５】
一実施例において、アプリケーションプロセッサがオフにされる時に前記タッチチップが標準時間を取得ステップは、
スクリーンがオフにされていると決定された場合、アプリケーションプロセッサをオフにし、且つアプリケーションプロセッサがオフにされる時に対応する標準時間を前記タッチチップに同期させるステップと
を含む。
【０００６】
一実施例において、前記方法は、
スクリーンを点灯した状態で、アプリケーションプロセッサを起動するための予め設定された操作が検出された場合、タッチチップがデバイス時間を表示駆動チップに送信することを停止し、アプリケーションプロセッサを起動して且つ前記アプリケーションプロセッサにより算出して得られた標準時間を表示駆動チップに送信するステップと、
前記表示駆動チップにより前記標準時間をスクリーンに表示するステップと
を更に含む。
【０００７】
一実施例において、前記表示駆動チップによりスクリーンを点灯して前記デバイス時間をスクリーンに表示するステップは、
前記表示駆動チップによりタッチパネルのデータ線と制御線とを駆動し、スクリーンを点灯し、且つ前記デバイス時間をスクリーンに表示するステップと
を含む。
【０００８】
一実施例において、前記表示駆動チップによりスクリーンを点灯して前記デバイス時間をスクリーンに表示するステップは、
現在の環境輝度に基づいて、予め設定された輝度閾値を決定するステップと、
前記表示駆動チップにより前記予め設定された輝度閾値でスクリーンを点灯し、且つ前記デバイス時間をスクリーンに表示するステップと
を含む。
【０００９】
一実施例において、デバイス時間を表示するための予め設定された操作が検出されたか否かを決定するステップは、
スクリーンをオフにした状態で、スクリーンをダブルタップするタップ操作が検出された場合、デバイス時間を表示するための予め設定された操作が検出されたと決定するステップ、又は、
電源ボタンが押されたと検出された場合、デバイス時間を表示するための予め設定された操作が検出されたと決定するステップ、
を含む。
【００１０】
本発明の実施例の第２側面によれば、モバイルデバイス時間の表示装置であって、当該装置は、
スクリーンをオフにした状態で、デバイス時間を表示するための予め設定された操作が検出されたか否かを決定するように構成される検出モジュールと、
前記検出モジュールは、デバイス時間を表示するための予め設定された操作が検出されたと決定された場合、タッチチップを介して前記タッチチップにより算出して得られたデバイス時間を表示駆動チップに送信するステップであって、アプリケーションプロセッサがオフにされる時に前記タッチチップが標準時間を取得すると共に内部クロックに基づいて算出してデバイス時間を取得するように構成される時間送信モジュールと、
前記表示駆動チップによりスクリーンを点灯して前記デバイス時間をスクリーンに表示するように構成される第１表示モジュールと、
を含む。
【００１１】
一実施例において、当該装置は、
スクリーンがオフにされていると決定された場合、アプリケーションプロセッサをオフにし、且つアプリケーションプロセッサがオフにされる時に対応する標準時間を前記タッチチップに同期させるように構成される時間同期モジュール、
を更に含む。
【００１２】
一実施例において、当該装置は、
スクリーンを点灯した状態で、アプリケーションプロセッサを起動するための予め設定された操作が検出された場合、タッチチップがデバイス時間を表示駆動チップに送信することを停止し、アプリケーションプロセッサを起動して且つ前記アプリケーションプロセッサにより算出して得られた標準時間を表示駆動チップに送信するように構成される起動モジュールと、
前記表示駆動チップにより前記標準時間をスクリーンに表示するように構成される第２表示モジュールと、
を更に含む。
【００１３】
一実施例において、第１表示モジュールは、
前記表示駆動チップによりタッチパネルのデータ線と制御線とを駆動し、スクリーンを点灯し、且つ前記デバイス時間をスクリーンに表示するように構成される表示サブモジュールを含む。
【００１４】
一実施例において、第１表示モジュールは、
現在の環境輝度に基づいて、予め設定された輝度閾値を決定するように構成される輝度決定サブモジュールと、
前記表示駆動チップにより前記予め設定された輝度閾値でスクリーンを点灯し、且つ前記デバイス時間をスクリーンに表示するように構成される点灯サブモジュールと、
を含む。
【００１５】
一実施例において、検出モジュールは、
スクリーンをオフにした状態で、スクリーンをダブルタップするタップ操作が検出された場合、デバイス時間を表示するための予め設定された操作が検出されたと決定するように構成される第１決定サブモジュール、又は
電源ボタンが押下されたと検出された場合、デバイス時間を表示するための予め設定された操作が検出されたと決定するように構成される第２決定サブモジュールと、
を含む。
【００１６】
本発明の実施例の第３側面によれば、モバイルデバイス時間の表示装置であって、当該装置は、
プロセッサと、
プロセッサにより実行可能な命令を記憶するためのメモリとを含み、
プロセッサは、
スクリーンをオフにした状態で、デバイス時間を表示するための予め設定された操作が検出されたか否かを決定し、
デバイス時間を表示するための予め設定された操作が検出されたと決定された場合、タッチチップを介して前記タッチチップにより算出して得られたデバイス時間を表示駆動チップに送信するステップであって、アプリケーションプロセッサがオフにされる時に前記タッチチップが標準時間を取得すると共に内部クロックに基づいて算出してデバイス時間を取得し、
前記表示駆動チップによりスクリーンを点灯して前記デバイス時間をスクリーンに表示するように構成される。
【発明の効果】
【００１７】
本発明の実施形態に供される技術解決方法は、以下の有益な効果を含むことができる。
【００１８】
スクリーンをオフにした状態でデバイス時間を表示するための予め設定された操作が検出された場合、タッチチップを介して前記タッチチップにより算出して得られたデバイス時間を表示駆動チップに送信し、且つ前記表示駆動チップによりスクリーンを点灯して前記デバイス時間をスクリーンに表示し、デバイス時間が、アプリケーションプロセッサにより得られることなく、低消費電力のタッチチップを介して内部クロックに基づいて算出して得られることができるため、ユーザが時間を閲覧する場合にアプリケーションプロセッサをウェイクアップする必要がなく、アプリケーションプロセッサをウェイクアップすることにより時間を算出する消費電力を抑止することができ、時間を閲覧するデバイス消費電力を大幅に低下させ、デバイス使用可能時間を延長することができる。
【００１９】
また、スクリーンをオフにする必要があるごとに、アプリケーションプロセッサがオフにされる時に現在標準時間をタッチチップに同期させるため、タッチチップが内部クロックに基づいて算出したデバイス時間の誤差を低下させ、デバイス時間の精度を向上させることができる。
【００２０】
表示駆動チップによりデバイス時間を予め設定された輝度閾値より低い輝度でスクリーンに表示するため、表示時間の消費電力を更に低下させることができる。
【００２１】
以上の一般的な記述と下記の詳細な説明は、単に例示と解説のためのものであって、本発明を限定するものではないことを理解されたい。
【図面の簡単な説明】
【００２２】
ここでの図面は、明細書を構成する一部として見なされ、本発明に適した実施例を示し、明細書とともに本発明の原理を解釈するために用いられる。
【図１】一つの例示的な実施例によるモバイルデバイス時間の表示方法を示すフローチャートである。
【図２】一つの例示的な実施例１によるモバイルデバイス時間の表示方法を示すフローチャートである。
【図３Ａ】一つの例示的な実施例２による表示駆動チップ表示時間を示すフローチャート１である。
【図３Ｂ】一つの例示的な実施例２による表示駆動チップ表示時間を示すフローチャート２である。
【図４】一つの例示的な実施例によるモバイルデバイス時間の表示装置を示すブロック図である。
【図５】一つの例示的な実施例による他のモバイルデバイス時間の表示装置を示すブロック図である。
【図６】一つの例示的な実施例によるモバイルデバイス時間の表示装置に適用される装置のブロック図である。
【発明を実施するための形態】
【００２３】
次に、添付の図面に示した例示の実施形態を詳細に説明する。以下の説明は図面に関連し、特に示さない限り、異なる図面における同じ符号は、同一又は類似の要素を示す。以下の実施形態に記載される実施方法は、本発明と一致するすべての実施方式を示しているわけではない。むしろ、それらは、添付の特許請求の範囲に記載されるように、本発明のいくつかの態様と一致する装置及び方法の例に過ぎない。
【００２４】
図１は、一つの例示的な実施例によるモバイルデバイス時間の表示方法を示すフローチャートである。当該モバイルデバイス時間の表示方法は、モバイルデバイスに適用され、例えばスマート携帯電話、タブレットコンピュータである。図１に示すように、当該モバイルデバイス時間の表示方法は、以下のようなステップ１０１〜１０３を含む。
【００２５】
ステップ１０１では、スクリーンをオフにした状態で、デバイス時間を表示するための予め設定された操作が検出されたか否かを決定する。
【００２６】
一実施例において、予め設定された操作は、表示時間の一つの予め設定された特定操作であっても良い、例えばスクリーンをダブルタップするタップ操作、又は電源ボタンが押下されるとの押下操作等である。
【００２７】
ステップ１０２では、デバイス時間を表示するための予め設定された操作が検出されていると決定された場合、タッチチップを介してタッチチップにより算出して得られたデバイス時間を表示駆動チップに送信する。
【００２８】
一実施例において、タッチチップは、アプリケーションプロセッサがオフにされる時標準時間を取得し、内部クロックに基づいてデバイス時間を算出して得られる。
【００２９】
一実施例において、スクリーンをオフにする間に、タッチチップ内部クロックに基づいてデバイス時間を算出し、スクリーンをオフにする間にも予め設定された時間ごとに、例えば１分ごとにアプリケーションプロセッサをウェイクアップしてデバイス時間を算出することを避けることができる。
【００３０】
一実施例において、タッチパネルが予め設定された操作を受信した場合、タッチチップが算出された時間を表示駆動チップに送信することができる。
【００３１】
他の一実施例において、前記タッチチップにより実現した機能と表示駆動チップにより実現した機能は、一つのチップに集積されることができる。
【００３２】
ステップ１０３では、表示駆動チップによりスクリーンを点灯して且つデバイス時間をスクリーンに表示する。
【００３３】
一実施例において、タッチパネルがデバイス時間及び他の表示必要のデバイス情報をスクリーンに表示するように、表示駆動チップがタッチパネルのデータ線と制御線とを駆動する。
【００３４】
一実施例において、表示駆動チップは、比較的に低い輝度でデバイス時間をスクリーンに表示し、図３Ａと３Ｂに示す実施例を参照でき、ここでは詳細に説明しない。
【００３５】
本実施例において、スクリーンをオフにした状態でデバイス時間を表示するための予め設定された操作が検出された場合、タッチチップを介してタッチチップにより算出して得られたデバイス時間を表示駆動チップに送信し、且つ表示駆動チップによりスクリーンを点灯してデバイス時間をスクリーンに表示し、デバイス時間が、アプリケーションプロセッサにより得られることなく、低消費電力のタッチチップを介して内部クロックに基づいて算出して得られることができるため、ユーザが時間を閲覧する場合にアプリケーションプロセッサをウェイクアップする必要がなく、アプリケーションプロセッサをウェイクアップすることにより時間を算出する消費電力を抑止することができ、時間を閲覧するデバイス消費電力を大幅に低下させ、デバイス使用可能時間を延長することができる。
【００３６】
一実施例において、タッチチップが、アプリケーションプロセッサがオフにされる時標準時間を取得するステップは、
スクリーンがオフにされていると決定された場合、アプリケーションプロセッサをオフにし、且つアプリケーションプロセッサがオフにされる時に対応する標準時間をタッチチップに同期させるステップを含む。
【００３７】
一実施例において、当該方法は、
スクリーンを点灯した状態で、アプリケーションプロセッサを起動するための予め設定された操作が検出された場合、タッチチップがデバイス時間を表示駆動チップに送信することを停止し、アプリケーションプロセッサを起動して且つアプリケーションプロセッサにより算出して得られた標準時間を表示駆動チップに送信するステップと、
表示駆動チップにより標準時間をスクリーンに表示するステップとを含む。
【００３８】
一実施例において、表示駆動チップによりスクリーンを点灯してデバイス時間をスクリーンに表示するステップは、
表示駆動チップによりタッチパネルのデータ線と制御線とを駆動し、スクリーンを点灯し、且つデバイス時間をスクリーンに表示するステップと
を含む。
【００３９】
一実施例において、表示駆動チップによりスクリーンを点灯してデバイス時間をスクリーンに表示するステップは、
現在の環境輝度に基づいて、予め設定された輝度閾値を決定するステップと、
表示駆動チップにより予め設定された輝度閾値でスクリーンを点灯し、且つデバイス時間をスクリーンに表示するステップと
を含む。
【００４０】
一実施例において、デバイス時間を表示するための予め設定された操作が検出されたか否かを決定するステップは、
スクリーンをオフにした状態で、スクリーンをダブルクリックするクリック操作が検出された場合、デバイス時間を表示するための予め設定された操作が検出されたと決定するステップ、  又は、
電源ボタンが押下されたと検出された場合、デバイス時間を表示するための予め設定された操作が検出されたと決定するステップと
を含む。
【００４１】
具体的に、デバイス時間を如何に表示することは、後述の実施例を参照する。
【００４２】
従って、本発明の実施例が提供する前記方法により、スクリーンをオフにした状態でデバイス時間が、アプリケーションプロセッサにより得られることなく、低消費電力のタッチチップを介して内部クロックに基づいて算出して得られることができるため、ユーザが時間を閲覧する場合にアプリケーションプロセッサをウェイクアップする必要がなく、アプリケーションプロセッサをウェイクアップすることにより時間を算出する消費電力を抑止することができ、時間を閲覧するデバイス消費電力を大幅に低下させ、デバイス使用可能時間を延長することができる。
【００４３】
図２は、一つの例示的な実施例１によるモバイルデバイス時間の表示方法を示すフローチャートである。本実施例は、本発明の実施例が提供する前記方法を利用し、デバイス時間をどのようにして表示するかについての例示的な説明である。図２に示すように、以下のようなステップを含む。
【００４４】
ステップ２０１では、スクリーンがオフにされていると決定された場合、アプリケーションプロセッサがオフにする場合標準時間をタッチチップに同期させる。
【００４５】
一実施例において、スクリーンをオフにするごとの前に、アプリケーションプロセッサを制御してデバイスの現在標準時間をタッチチップに同期させるため、タッチチップが算出したデバイス時間の精度を向上させることができる。
【００４６】
ステップ２０２では、タッチチップは、標準時間に基づいてモバイルデバイスがスクリーンのオフ状態にある場合、デバイス時間を算出する。
【００４７】
一実施例において、タッチチップが現在標準時間に基づいて内部クロックを利用してデバイス時間を算出することができる。
【００４８】
ステップ２０３では、デバイス時間を表示するための予め設定された操作が検出されたか否かを決定する場合、例えばデバイス時間を表示するための予め設定された操作が検出された場合に、ステップ２０４を実行する。
【００４９】
一実施例において、スクリーンをオフにした状態で、スクリーンをダブルクリックするクリック操作が検出された場合、デバイス時間を表示するための予め設定された操作が検出されたと決定する。他の一実施例において、電源ボタンが押下されたと検出された場合、デバイス時間を表示するための予め設定された操作が検出されたと決定する。
【００５０】
ステップ２０４では、デバイス時間を表示するための予め設定された操作が検出された場合、タッチチップによりタッチチップが算出して得られたデバイス時間を表示駆動チップに送信する。
【００５１】
一実施例において、タッチチップは、アプリケーションプロセッサがオフにされる時標準時間を取得し、内部クロックに基づいてデバイス時間を算出して得られる。
【００５２】
ステップ２０５では、表示駆動チップによりスクリーンを点灯して、且つデバイス時間をスクリーンに表示する。
【００５３】
一実施例において、ステップ２０３からステップ２０５までの説明は、図１に示す実施例のステップ１０１からステップ１０３までの説明を参照でき、ここでは詳細に説明しない。
【００５４】
本実施例において、スクリーンをオフにする必要があるごとに、アプリケーションプロセッサが現在標準時間をタッチチップに同期させるため、タッチチップが内部クロックに基づいて算出したデバイス時間の誤差を低下させ、デバイス時間の精度を向上させることができる。
【００５５】
図３Ａは、一つの例示的な実施例２による表示駆動チップ表示時間を示すフローチャート１である。図３Ｂは、一つの例示的な実施例２による表示駆動チップ表示時間を示すフローチャート２である。本実施例は、本発明の実施例が提供する前記方法を利用し、デバイス時間をどのようにして表示するかについての例示的な説明である。図３Ａに示すように、スクリーンのオフ状態にあるモバイルデバイスで、デバイス時間を表示するための予め設定された操作が検出された場合時間を表示するフローであり、以下のようなステップを含む。
【００５６】
ステップ３０１では、現在の環境輝度に基づいて、予め設定された輝度閾値を決定する。
【００５７】
一実施例において、現在の環境輝度に相応する予め設定された輝度閾値は、経験に応じて設定されることができ、スマートデバイス供給者は、大量のユーザから生じた実際に使用するデータにより統計して得られる、且つスマートデバイスに記録される、例えば、現在の環境輝度が比較的に高い場合、ユーザが時間を明確に見ることができるるように、予め設定された輝度閾値はやや高く設定されるが、ユーザが時間を明確に見ることができ、且つ消費電力を省けることを評価基準として、予め設定された輝度閾値は高すぎないように設定される。
【００５８】
一実施例において、ユーザがモバイルデバイスを利用するテスト時間帯に、モバイルデバイスを制御して現在環境の輝度を測ることができ、スクリーンがモバイルデバイス出力情報を明確に表示する予め設定された輝度閾値を決定し、且つモバイルデバイスに記録される。
【００５９】
ステップ３０２では、表示駆動チップにより予め設定された輝度閾値でスクリーンを点灯し、且つデバイス時間をスクリーンに表示する。
【００６０】
一実施例において、バックライト輝度を制御することにより、予め設定された輝度閾値の輝度でデバイス時間の表示を実現することができ、バックライト輝度が比較的に小さく設定されることができるため、消費電力を省くことができる。
【００６１】
図３Ｂに示すように、モバイルデバイスがスクリーンを点灯した状態でアプリケーションプロセッサを起動するための予め設定された操作が検出された場合表示時間のフローであり、以下のようなステップを含む。
【００６２】
ステップ３１１では、タッチチップがデバイス時間を表示駆動チップに送信することを停止し、アプリケーションプロセッサを起動し、且つアプリケーションプロセッサにより算出された標準時間を表示駆動チップに送信する。
【００６３】
ステップ３１２では、表示駆動チップにより標準時間をスクリーンに表示する。
【００６４】
本実施例において、表示駆動チップによりデバイス時間を予め設定された輝度閾値より低い輝度でスクリーンに表示するため、表示時間の消費電力を更に低下させることができる。また、スクリーンを点灯した状態で、且つアプリケーションプロセッサを起動する後、アプリケーションプロセッサが算出するデバイス時間を表示できるため、デバイス時間の精度を向上させることができる。
【００６５】
図４は、一つの例示的な実施例によるモバイルデバイス時間の表示装置を示すブロック図である。図４に示すように、モバイルデバイス時間の表示装置は、
スクリーンをオフにした状態で、デバイス時間を表示するための予め設定された操作が検出されたか否かを決定するように構成される検出モジュール４１０と、
デバイス時間を表示するための予め設定された操作が検出されたと決定された場合、タッチチップを介して前記タッチチップにより算出して得られたデバイス時間を表示駆動チップに送信するステップであって、前記タッチチップは、アプリケーションプロセッサがオフにされる時標準時間を取得し、内部クロックに基づいて算出してデバイス時間を取得するように構成される時間送信モジュール４２０と、
表示駆動チップによりスクリーンを点灯してデバイス時間をスクリーンに表示するように構成される第１表示モジュール４３０と、
を含む。
【００６６】
図５は、一つの例示的な実施例による他のモバイルデバイス時間の表示装置を示すブロック図である。図５に示すように、前記図４に示す実施例の基に、一実施例において、装置は、
スクリーンがオフにされていると決定された場合、アプリケーションプロセッサをオフにし、且つアプリケーションプロセッサがオフにされる時に対応する標準時間をタッチチップに同期させるように構成される時間同期モジュール４４０とを更に含む。
【００６７】
一実施例において、装置は、
スクリーンを点灯した状態で、アプリケーションプロセッサを起動するための予め設定された操作が検出された場合、タッチチップがデバイス時間を表示駆動チップに送信することを停止し、アプリケーションプロセッサを起動して且つ前記アプリケーションプロセッサにより算出して得られた標準時間を表示駆動チップに送信するように構成される起動モジュール４５０と、
表示駆動チップを介して起動モジュール４５０による標準時間をスクリーンに表示するように構成される第２表示モジュール４６０と、
を更に含む。
【００６８】
一実施例において、第１表示モジュール４３０は、
表示駆動チップによりタッチパネルのデータ線と制御線とを駆動し、スクリーンを点灯し、且つデバイス時間をスクリーンに表示するように構成される表示サブモジュール４３１とを含む。
【００６９】
一実施例において、第１表示モジュール４３０は、
現在の環境輝度に基づいて、予め設定された輝度閾値を決定するように構成される輝度決定サブモジュール４３２と、
表示駆動チップにより予め設定された輝度閾値でスクリーンを点灯し、且つデバイス時間をスクリーンに表示するように構成される点灯サブモジュール４３３と、
を含む。
【００７０】
一実施例において、検出モジュール４１０は、
スクリーンをオフにした状態で、スクリーンをダブルタップするタップ操作が検出された場合、デバイス時間を表示するための予め設定された操作が検出されたと決定するように構成される第１決定サブモジュール４１１、又は
電源ボタンが押下されたと検出された場合、デバイス時間を表示するための予め設定された操作が検出されたと決定するように構成される第２決定サブモジュール４１２と、
を含む。
【００７１】
前記実施例における装置に関し、それぞれのモジュールを実行する操作が既に相関の実施例に詳細の説明を行いたので、ここでは詳細に説明しない。
【００７２】
図６は、一つの例示的な実施例によるモバイルデバイス時間の表示装置に適用される装置のブロック図である。例えば、装置６００は、スマートフォン、タブレットコンピュータ等であっても良い。
【００７３】
図６を参照すると、装置６００は、プロセッサ部６０２、メモリ６０４、電源部６０６、マルチメディア部６０８、オーディオ部６１０、入出力（Ｉ／Ｏ）インターフェース６１２、センサー部６１４、及び通信部６１６のうちの一種以上を含むことが可能である。
【００７４】
プロセッサ部６０２は、典型的には装置６００の全般の動作を制御するものであって、例えばディスプレイに関連した動作、電話着呼、データ通信、カメラ動作、及び録音動作などを制御する。プロセッサ部６０２は、一個以上のプロセッサ６２０を含むことで、上述した方法の有するステップのすべてもしくは一部を実施するための命令を実行可能である。さらにプロセッサ部６０２は、プロセッサ部６０２と他の部品との間の相互作用を促進するための一個以上のモジュールを含んでもよい。例えばプロセッサ部６０２が、マルチメディアモジュールを含むことで、マルチメディア部６０８とプロセッサ部６０２との間の相互作用を促進できる。
【００７５】
メモリ６０４は、装置６００の動作をサポートするために、種々のデータを格納するように構成される。そうしたデータの例としては、装置６００上で作業される任意のアプリケーションもしくはメソッドのための命令、交友録データ、電話帳データ、メッセージ、写真、動画などが挙げられる。メモリ６０４は、任意の種類の揮発性もしくは不揮発性のメモリ装置又はそれらの組み合わせを用いて実施可能であり、例えばスタティックランダムアクセスメモリ（ＳＲＡＭ）、電気的消去可能プログラマブル読取専用メモリ（ＥＥＰＲＯＭ）、消去可能プログラマブル読取専用メモリ（ＥＰＲＯＭ）、プログラマブル読取専用メモリ（ＰＲＯＭ）、読取専用メモリ（ＲＯＭ）、磁気メモリ、フラッシュメモリ、磁気ディスク、又は光学ディスクといった装置を用いることが可能である。
【００７６】
電源部６０６は、装置６００の有する種々の部品に電力を供給する。電源部６０６が含むことができるものとしては、電力管理システム、一個以上の電源、ならびに装置６００中の電力発電、管理、及び分配に関連する任意の他の部品がある。
【００７７】
マルチメディア部６０８は、装置６００とユーザとの間をとりもつ出力インターフェースを提供する画面を含む。そうした画面に、液晶ディスプレイ（ＬＣＤ）やタッチパネル（ＴＰ）が含まれる実施形態があってもよい。画面にタッチパネルが含まれる場合には、ユーザからの入力信号を受けつけるタッチスクリーンとして当該画面を実装してもよい。そうしたタッチパネルには、タッチ、スワイプ、及びタッチパネル上のジェスチャーを感知するための一個以上のタッチセンサーが含まれる。そうしたタッチセンサーは、タッチやスワイプの動作の境界を感知するにはとどまらず、タッチやスワイプの動作に伴う持続時間と圧力をも感知するものであってもよい。或る実施形態でのマルチメディア部６０８には、前方カメラ及び／又は後方カメラが含まれる。そうした前方カメラ及び／又は後方カメラは、装置６００が動作モード（撮像モードや動画撮影モードなど）に在るときに、外部からのマルチメディアデータを受信することが可能である。前方カメラと後方カメラの各々は、固定式光学レンズ系であってもよいし、フォーカス機能と光学ズーム機能を含むものであってもよい。
【００７８】
オーディオ部６１０は、オーディオ信号を出力及び／又は入力をするように構成される。例えばオーディオ部６１０が含むものとしては、装置６００が動作モード（通話モード、録音モード、音声認識モードなど）に在るときに、外部からのオーディオ信号を受信するように構成されたマイクロフォン（ＭＩＣ）がある。受信されたオーディオ信号を、さらにメモリ６０４に格納してもよいし、通信部６１６により伝送してもよい。或る実施形態においては、オーディオ部６１０がさらにオーディオ信号を出力するためのスピーカーを含む。
【００７９】
Ｉ／Ｏインターフェース６１２は、プロセッサ部６０２と周辺インターフェースモジュール（キーボード、クリックホイール、ボタンなど）のためのインターフェースを提供するものである。そうしたボタンとしては例えば、ホームボタン、音量ボタン、起動ボタン、及びロッキングボタンなどが含まれるが、これらに限定はされない。
【００８０】
センサー部６１４は、装置６００の種々の態様の状態評価を提供するための一個以上のセンサーを含む。例えばセンサー部６１４は、装置６００の開閉状態、及び部品間の相対位置（例えば装置６００のディスプレイとキーパッドとの相対位置など）を検出することが可能である。またセンサー部６１４は、装置６００の位置変化や装置６００中の部品の位置変化、装置６００にユーザが接触しているか否か、装置６００の向きもしくは加減速、ならびに装置６００の温度変化を検出することも可能である。センサー部６１４には、物理的な接触はしていないが近接した物体を検出するように構成された近接センサーを含めてもよい。またセンサー部６１４は、撮像用途のために光センサー（ＣＭＯＳイメージセンサーもしくはＣＣＤイメージセンサーなど）を含んでもよい。或る実施形態においては、センサー部６１４は、加速度センサー、ジャイロスコープセンサー、磁気センサー、圧力センサー、又は温度センサーを含んでいてもよい。
【００８１】
通信部６１６は、装置６００と他の装置との間での有線通信もしくは無線通信を容易にするために構成されている。装置６００は通信規格に基づいた無線ネットワークにアクセス可能であり、そうした通信規格としては例えばＷｉ−Ｆｉ、２Ｇ、もしくは３Ｇ、又はこれらの組み合わせといったものが挙げられる。例示的な一実施形態においては、通信部６１６は、ブロードキャスト信号もしくはブロードキャストの関連情報を、外部のブロードキャスト管理システムからブロードキャストチャネルにより受信可能である。例示的な一実施形態においては、通信部６１６がさらにＮＦＣ（ｎｅａｒ  ｆｉｅｌｄ  ｃｏｍｍｕｎｉｃａｔｉｏｎ）モジュールを含むことで、近距離通信を容易にする。例えばそうしたＮＦＣモジュールは、ＲＦＩＤ（無線周波数認識）技術、ＩｒＤＡ（赤外線データ通信）技術、ＵＷＢ（超広帯域無線）技術、Ｂｌｕｅｔｏｏｔｈ（登録商標）（ＢＴ）技術、及び他の技術に基づいたものであってよい。
【００８２】
例示的な実施形態では、装置６００は上述した方法を行うために、一種以上の特定用途用集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、コントローラ、マイクロコントローラ、マイクロプロセッサ、又はその他の電子部品でを実施してもよい。上述した方法は、スクリーンをオフにした状態で、デバイス時間を表示するための予め設定された操作が検出されたか否かを決定するステップと、デバイス時間を表示するための予め設定された操作が検出されたと決定された場合、タッチチップを介して前記タッチチップにより算出して得られたデバイス時間を表示駆動チップに送信し、タッチチップは、アプリケーションプロセッサがオフにされる時標準時間を取得し、内部クロックに基づいて算出してデバイス時間を取得するステップと、前記表示駆動チップによりスクリーンを点灯して前記デバイス時間をスクリーンに表示するステップと、を含む。
【００８３】
例示的な実施形態においては、命令（メモリ６０４に含まれる命令など）を含んだ非一過性のコンピュータ可読記憶媒体が提供され、当該命令は上述した方法を行うために装置６００中のプロセッサ６２０によって実行可能なものである。例えば非一過性のコンピュータ可読記憶媒体としては、ＲＯＭ、ランダムアクセスメモリ（ＲＡＭ）、ＣＤ−ＲＯＭ、磁気テープ、フロッピーディスク、光学データ記憶装置などを挙げることができる。
【００８４】
当業者であれば、本明細書及びここに開示された本発明の実施を考慮することで、本発明のその他の実施形態に容易に想到できる。本出願は、本発明の原理に従い且つ当該技術分野において公知又は慣用の技術に包含される派生例をも含むような、本発明のあらゆる変形例、用途、又は応用例をも包摂することを企図している。本明細書及び実施形態は、あくまで例示のためのものであることを企図しており、本発明の真の範囲及び精神は下記の特許請求の範囲によって示される。
【００８５】
本発明は、上述した詳細や添付の図面に示したとおりのそのままの構成には限定はされず、本発明の範囲から逸脱することなく種々の改変や変形を施してもよいことを理解されたい。本発明の範囲は、添付の特許請求の範囲によってのみ限定されることを企図している。
【図１】
2019511018.tif 000003
【図２】
2019511018.tif 000004
【図３Ａ】
2019511018.tif 000005
【図３Ｂ】
2019511018.tif 000006
【図４】
2019511018.tif 000007
【図５】
2019511018.tif 000008
【図６】
2019511018.tif 000009
【国際調査報告】
2019511018.tif 000010
2019511018.tif 000011
2019511018.tif 000012
2019511018.tif 000013